(57)【要約】【課題】金属板を加工して形成される２以上の筐体部品によって組み立てられるカメラ筐体内への液体の浸入を簡単な構成で確実に防止することができる防水型撮像装置を提供すること。【解決手段】デジタルスチルカメラ１は、フロントケース１１の端面１１ａとリアケース１２の端面１２ａが対向されて組み立てられるカメラ筐体２と、フロントケース１１とリアケース１２を連結する連結部材２１と、防水部材３１を備えた構成とする。そして、防水部材３１は、フロントケース１１の端面１１ａとリアケース１２の端面１２ａによって圧縮される第１の圧縮部３２と、フロントケース１１及びリアケース１２の内面と連結部材２１によって圧縮される第２の圧縮部３３とを有する構成とした。【選択図】図６
2009171235.tif 000002
【特許請求の範囲】
【請求項１】
金属板を加工することにより断面形状がコ字状に形成された第１の筐体部品及び第２の筐体部品を有し、前記第１の筐体部品の端面と前記第２の筐体部品の端面が対向されて組み立てられるカメラ筐体と、
前記カメラ筐体の内部に配置されると共に前記第１の筐体部品と前記第２の筐体部品の端部に沿って枠状に形成され、前記第１の筐体部品と前記第２の筐体部品を連結する連結部材と、
前記第１の筐体部品の端面と前記第２の筐体部品の端面によって圧縮される第１の圧縮部と、前記第１の筐体部品及び前記第２の筐体部品の内面と連結部材によって圧縮される第２の圧縮部とを有する防水部材と、を備えた
ことを特徴とする防水型撮像装置。
【請求項２】
前記防水部材は、前記第１の筐体部品と前記第２の筐体部品の端部を外側から覆う化粧部をさらに備える
ことを特徴とする請求項１記載の防水型撮像装置。
【請求項３】
前記化粧部は、前記第１の筐体部品及び前記第２の筐体部品の外面に接触する軟質部材と、前記軟質部材を覆って外装部を形成する硬質部材の２色成型によって形成される
ことを特徴とする請求項２記載の防水型撮像装置。
【請求項４】
前記防水部材の前記第１の圧縮部は、前記第１の筐体部品の端面に接触する第１の端面側突起と、前記第２の筐体部品の端面に接触する第２の端面側突起を有する
ことを特徴とする請求項３記載の防水型撮像装置。
【請求項５】
前記防水部材の前記第２の圧縮部は、前記第１の筐体部品の端部に対向する位置で前記連結部材に接触する第１の連結側突起と、前記第２の筐体部品の端部に対向する位置で前記連結部材に接触する第２の連結側突起とを有する
ことを特徴とする請求項３記載の防水型撮像装置。
【請求項６】
前記防水部材の前記第２の圧縮部は、前記第１の筐体部品の内面に接触する第１の内面側突起と、前記第２の筐体部品の内面に接触する第２の内面側突起とを有する
ことを特徴とする請求項３記載の防水型撮像装置。
【発明の詳細な説明】
【技術分野】
【０００１】
本発明は、金属板を加工して形成される筐体を有し、その筐体の内部に液体が浸入することを防止する防水型撮像装置に関するものである。
【背景技術】
【０００２】
撮像装置の筐体は、外観の質感を向上させて高級感を出すため、金属板を加工することにより形成した複数の筐体部品から構成される場合がある。このような筐体を構成する複数の筐体部品は、互いに接合される端面部に防水パッキンを保持する溝やリブ等を形成することが困難であり、接合部分の防水を簡単に行うことが難しかった。
【０００３】
また、金属板によって筐体部品を形成する場合、端面のトリミング工程において段差が発生し易く、端面の高さを高精度に統一することが難しい。さらに、端面は、破断面になって錆びが発生し易いため、塗装等の防錆処理を施す必要がある。そうすると、塗装膜のばらつきによって端面に段差が生じてしまう。
【０００４】
従来のこの種の防水型撮像装置としては、例えば、特許文献１に記載されているようなものがある。特許文献１には、カメラの防水・防滴構造に関するものが記載されている。このカメラの防水・防滴構造は、端面が突き合わせ部となっている前カバーと、端面が前カバーの突き合わせ部と当接する突き合わせ部となっている後ろカバーと、両突き合わせ部間に挿入される防滴部材から構成されている。
【特許文献１】特開２００４−２４０３７２号公報
【発明の開示】
【発明が解決しようとする課題】
【０００５】
ところで、特許文献１に記載されたカメラの防水・防滴構造では、前カバー及び後ろカバーの突き合わせ部（端面）に段差が生じると、防滴部材に対して均一に圧力を加えることができなくなるため、防水性の低下を招く。そして、特許文献２では、突き合わせ部のみで防滴部材を押圧しているため、その突き合わせ部から液体が浸入すると、その液体は、前カバーと後カバーによって形成された筐体内に浸入してしまうという問題があった。
【０００６】
本発明の目的は、上述の問題点を考慮し、金属板を加工して形成される２以上の筐体部品によって組み立てられるカメラ筐体内への液体の浸入を簡単な構成で確実に防止することができる防水型撮像装置を提供することにある。
【課題を解決するための手段】
【０００７】
本発明の防水型撮像装置は、第１の筐体部品及び第２の筐体部品を有するカメラ筐体と、第１の筐体部品と第２の筐体部品を連結する連結部材と、防水部材と、を備えている。カメラ筐体の第１の筐体部品及び第２の筐体部品は、金属板を加工することにより断面がコ字状に形成され、互いの端面が対向されている。連結部材は、カメラ筐体の内部に配置されると共に第１の筐体部品と第２の筐体部品の対向部分に沿って枠状に形成されている。そして、防水部材は、第１の筐体部品の端面と第２の筐体部品の端面によって圧縮される第１の圧縮部と、第１の筐体部品の内面と連結部材によって圧縮される第２の圧縮部と、第２の筐体部品の内面と連結部材によって圧縮される第３の圧縮部とを有することを最も主要な特徴とする。
【０００８】
本発明の防水型撮像装置は、第１の筐体部品と第２の筐体部品を連結部材によって連結すると、第１及び第２の筐体部品の互いに対向する端面で防水部材の第１の圧縮部を圧縮する。さらに、第１の筐体部品の内面と連結部材によって防水部材の第２の圧縮部を圧縮し、第２の筐体部品の内面と連結部材によって第３の圧縮部を圧縮する。
【発明の効果】
【０００９】
本発明の防水型撮像装置によれば、防水部材の第１の圧縮部によって第１及筐体部品の端面と第２の筐体部品の端面との間から液体が浸入することを防止することができる。さらに、両端面間から液体が浸入することがあっても、第２の圧縮部によってカメラ筐体の内部にその液体が浸入することを防止することができる。
【発明を実施するための最良の形態】
【００１０】
以下、本発明の防水型撮像装置を実施するための最良の形態について、図面を参照して説明するが、本発明は以下の形態に限定されるものではない。
【００１１】
図１は、本発明の防水型撮像装置の第１の実施の形態を示すデジタルスチルカメラ１を正面側から見た外観斜視図である。図１に示すように、デジタルスチルカメラ１は、カメラ筐体２を備えている。このカメラ筐体２の内部には、被写体の像を光として取り込んでＣＣＤイメージセンサやＣＭＯＳイメージセンサ等の固体撮像素子に導くレンズ鏡筒（不図示）と、レンズ鏡筒の動作を制御する制御回路（不図示）等が設けられている。
【００１２】
カメラ筐体２は、横長の直方体状に形成されている。このカメラ筐体２の前面の一側には、リング状をなす化粧リング５が取り付けられており、その化粧リング５の中央穴５ａからレンズ鏡筒の対物レンズ３が露出されている。また、カメラ筐体２の前面において、略中央の上部には、フラッシュ装置の発光部６と、オートフォーカス機構の発光・受光部７が設けられている。さらに、カメラ筐体２の上面には、シャッタボタン８が設けられている。
【００１３】
シャッタボタン８、フラッシュ装置の発光部６、オートフォーカス機構の発光・受光部７及びレンズ鏡筒と、カメラ筐体２との間には、防水パッキン（不図示）が介在されており、カメラ筐体の内部に液体が浸入することを防止している。
【００１４】
次に、カメラ筐体２の構成について、図２を参照して説明する。図２は、カメラ筐体２の分解斜視図である。図２に示すように、カメラ筐体２は、前後方向に重ね合わされたフロントケース１１及びリアケース１２から構成されている。このフロントケース１１及びリアケース１２は、第１の筐体部品及び第２の筐体部品の一具体例を示すものである。
【００１５】
フロントケース１１は、アルミニウムやチタン等の金属板をプレス加工することにより形成されており、背面が開口された偏平の筐体からなる。つまり、フロントケース１１は、縦断面及び横断面の形状が共にコ字状となるように形成されている。このフロントケース１１の上面と底面と左右の側面には、周方向に適当な間隔をあけて配置された複数のねじ用貫通孔１５が設けられている。このねじ用貫通孔１５には、フロントケース１１を後述する連結部材２１に固定するための固定ねじ１０（図１を参照）のねじ軸部が貫通される。フロントケース１１の開口側に形成される端面１１ａは、リアケース１２の後述する端面１２ａに対向される。
【００１６】
リアケース１２は、フロントケース１１と同様に、アルミニウムやチタン等の金属板をプレス加工することにより形成されており、背面が開口された偏平の筐体からなる。つまり、リアケース１２は、フロントケース１１と同様の形状とされており、縦断面及び横断面の形状が共にコ字状となるように形成されている。
【００１７】
リアケース１２の上面と底面と左右の側面には、周方向に適当な間隔をあけて配置された複数のねじ用貫通孔１６が設けられている。このねじ用貫通孔１６には、リアケース１２を後述する連結部材２１に固定するための固定ねじ１０（図１を参照）のねじ軸部が貫通される。フロントケース１１の開口側に形成される端面１２ａは、フロントケース１１の端面１１ａに対向される。
【００１８】
フロントケース１１とリアケース１２は、連結部材２１よって連結される。この連結部材２１は、フロントケース１１及びリアケース１２の対向部分に沿って枠状に形成されている。フロントケース１１とリアケース１２を連結した状態において、連結部材２１は、カメラ筐体２の内部に配置される。また、フロントケース１１とリアケース１２を連結した状態において、それらフロントケース１１とリアケース１２との間には、カメラ筐体２の内部に液体が浸入することを防止する防水部材３１が介在される。
【００１９】
次に、連結部材２１及び防水部材３１について、図３〜図５を参照して説明する。図３は、連結部材２１及び防水部材３１を示す斜視図、図４は図３に示す連結部材２１のＡ−Ａ線部分の断面図、図５は図３に示す防水部材３１のＢ−Ｂ線部分の断面図である。
【００２０】
図３及び図４に示すように、連結部材２１は、所定の幅を有する枠体からなるベース部２２と、このベース部２２の両側にそれぞれ連続して外側に略垂直に立ち上がる立上り部２３Ａ，２３Ｂと、立上り部２３Ａに連続してベース部２２と平行な方向に展開される第１の固定部２４Ａと、立上り部２３Ｂに連続してベース部２２と平行な方向に展開される第２の固定部２４Ｂから構成されている。
【００２１】
連結部材２１によってフロントケース１１とリアケース１２を連結した状態において、ベース部２２は、防水部材３１の後述する第２の圧縮部３３をフロントケース１１の内面及びリアケース１２内面側に押圧する。また、第１の固定部２４Ａは、フロントケース１１の内面に当接され、第２の固定部２４Ｂは、リアケース１２内面に当接する。
【００２２】
第１の固定部２４Ａには、周方向に適当な間隔をあけて配置された複数のねじ孔２５が設けられている。このねじ孔２５には、フロントケース１１を連結部材２１に固定するための固定ねじ１０（図１を参照）が螺合される。また、第２の固定部２４Ｂには、周方向に適当な間隔をあけて配置された複数のねじ孔２６が設けられている。このねじ孔２６には、リアケース１２を連結部材２１に固定するための固定ねじ１０（図１を参照）が螺合される。
【００２３】
図３及び図５に示すように、防水部材３１は、断面形状が略Ｈ状に形成された枠体からなっている。この防水部材３１は、フロントケース１１の端面１１ａとリアケース１２の端面１２ａとの間に介在される第１の圧縮部３２と、カメラ筐体２の内部に配置される第２の圧縮部３３と、フロントケース１１の端面１１ａを形成する端部とリアケース１２の端面１２ａを形成する端部を外側から覆う化粧部３４から構成されている。この防水部材３１の材質としては、シリコンゴムやウレタンゴム等の軟質ゴムを挙げることができるが、エラストマ樹脂等の軟質の樹脂を適用することもできる。
【００２４】
防水部材３１の第１の圧縮部３２は、フロントケース１１の端面１１ａに接触する第１の端面側突起３２ａと、リアケース１２の端面１２ａに接触する第２の端面側突起３２ｂを有している。これら端面側突起３２ａ，３２ｂは、それぞれフロントケース１１の端面１１ａ及びリアケース１２の端面１２ａの幅よりも狭い幅に設定された突条に形成されている。
【００２５】
第１の端面側突起３２ａの先端から第２の端面側突起３２ｂの先端までの距離は、連結部材２１によって連結された状態のフロントケース１１の端面１１ａとリアケース１２の端面１２ａとの間の距離よりも長く設定されている。そのため、連結部材２１によってフロントケース１１とリアケース１２を連結した状態において、第１及び第２の端面側突起３２ａ，３２ｂは、両端面１１ａ，１２ａに押圧されて潰れるように圧縮される。
【００２６】
第２の圧縮部３３の幅は、連結部材２１によって連結された状態のフロントケース１１の端面１１ａとリアケース１２の端面１２ａとの間の距離よりも長く設定されている。このため、第２の圧縮部３３は、フロントケース１１の端部の内面及びリアケース１２の端部の内面と連結部材２１のベース部２２によって挟まれる。この第２の圧縮部３３には、第１の連結側突起３３ａと、第２の連結側突起３３ｂが設けられている。これら連結側突起３３ａ，３３ｂは、第２の圧縮部３３の両側にそれぞれ連続して外側に突出する突条として形成されている。
【００２７】
第１の連結側突起３３ａは、フロントケース１１の端部に対応する位置で連結部材２１のベース部２２に接触し、第２の連結側突起３３ｂは、リアケース１２の端部に対応する位置で連結部材２１のベース部２２に接触する。また、第２の圧縮部３３の２つの連結側突起３３ａ，３３ｂが突出する面と反対側の面は、フロントケース１１の端部の内面及びリアケース１２の端部の内面に接触する接触面３３ｃとなっている。
【００２８】
第２の圧縮部３３の接触面３３ｃから２つの連結側突起３３ａ，３３ｂの先端までの距離は、連結部材２１の立上り部２３Ａ，２３Ｂによって形成されるベース部２２と第１及び第２の固定部２４Ａ，２４Ｂとの段差よりも長く設定されている。そのため、連結部材２１によってフロントケース１１とリアケース１２を連結した状態において、２つの連結側突起３３ａ，３３ｂは、連結部材２１のベース部２２に押圧されて潰れるように圧縮される。
【００２９】
化粧部３４の幅は、第２の圧縮部３３の幅と略等しい長さに設定されている。化粧部３４の第２の圧縮部３３に対向する面は、フロントケース１１の端部の外面及びリアケース１２の端部の外面に接触する接触面３４ａとなっている。また、化粧部３４は、第２の圧縮部３３と反対側の２つの角部がそれぞれ切り取られている。
【００３０】
次に、カメラ筐体２の組立てについて、図２及び図６を参照して説明する。図６は、図１に示すＣ−Ｃ線部分の断面図である。
【００３１】
カメラ筐体２を組み立てるには、まず、図２に示すように、フロントケース１１の端面１１ａとリアケース１２の端面１２ａを対向させ、これらの間に連結部材２１及び防水部材３１を配置する。このとき、防水部材３１は、連結部材２１のベース部２２に巻回させるようにして配置する。次に、フロントケース１１及びリアケース１２を防水部材３１が配置された連結部材２１に接近させる。そして、フロントケース１１の端部及びリアケース１２の端部を、それぞれ防水部材３１の第２の圧縮部３２と化粧部３４との間に挿入させる。
【００３２】
次に、図６に示すように、固定ねじ１０によってフロントケース１１とリアケース１２を連結部材２１の第１の固定部２４Ａ及び第２の固定部２４Ｂにそれぞれ固定する。つまり、フロントケース１１のねじ用貫通孔１５及びリアケース１２のねじ用貫通孔１６に固定ねじ１０のねじ軸部を貫通させ、そのねじ軸部を連結部材２１のねじ孔２５，２６に螺合させる。これにより、フロントケース１１とリアケース１２が連結部材２１によって連結され、カメラ筐体２が組み立てられる。
【００３３】
フロントケース１１と固定ねじ１０との間及びリアケース１２と固定ねじ１０との間には、それぞれ防水パッキン３８が介在されている。この防水パッキン３８は、固定ねじ１０のねじ軸部に密着されると共に、フロントケース１１或いはリアケース１２に密着される。この防水パッキン３８によって、フロントケース１１のねじ用貫通孔１５とリアケース１２のねじ用貫通孔１６から液体が浸入することを防止することができる。
【００３４】
固定ねじ１０のねじ軸部を連結部材２１のねじ孔２５，２６に螺合させると、フロントケース１１とリアケース１２は、互いの端面１１ａ，１２ａ間が所定の距離をあけて対向された状態で固定される。このとき、防水部材３１の第１の圧縮部３２に設けた第１の端面側突起３２ａ及び第２の端面側突起３２ｂが、フロントケース１１の端面１１ａとリアケース１２の端面１２ａによって押圧される。これにより、２つの端面側突起３２ａ，３２ｂが圧縮されて潰れ、それぞれ両端面１１ａ，１２ａに密着する。その結果、両端面１１ａ，１２ａ間から液体が浸入することを防止することができる。
【００３５】
このとき、２つの端面側突起３２ａ，３２ｂを突起状に形成したため、それら２つの端面側突起３２ａ，３２ｂの潰れ量を大きくすることができる。その結果、フロントケース１１の端面１１ａ及びリアケース１２の端面１２ａのそれぞれに段差が生じていても、その段差に対応させて２つの端面側突起３２ａ，３２ｂを潰すことができ、両端面１１ａ，１２ａ間から液体が浸入することを防止することができる。
【００３６】
また、固定ねじ１０のねじ軸部を連結部材２１のねじ孔２５，２６に螺合させると、フロントケース１１及びリアケース１２は、それぞれの内面が連結部材２１の第１の固定部２４Ａ及び第２の固定部２４Ｂに当接された状態で固定される。このとき、防水部材３１の第２の圧縮部３３の接触面３３ｃが、フロントケース１１及びリアケース１２の内面に当接され、第１の連結側突起３３ａ及び第２の連結側突起３３ｂが、連結部材２１のベース部２２によって押圧される。
【００３７】
第２の圧縮部３３の２つの連結側突起３３ａ，３３ｂがベース部２２に押圧されることにより、それら２つの連結側突起３３ａ，３３ｂが圧縮されて潰れ、ベース部２２に密着する。また、第２の圧縮部３３の接触面３３ｃがフロントケース１１及びリアケース１２の内面に密着する。このとき、連結側突起３３ａ，３３ｂを突起状に形成したため、それら２つの連結側突起３３ａ，３３ｂの潰れ量を大きくすることができ、連結部材２１のベース部２２に段差が生じていても、その段差に対応させて２つの連結側突起３３ａ，３３ｂを潰すことができる。そのため、第２の圧縮部３３を連結部材２１のベース部２２とフロントケース１１及びリアケース１２の内面に確実に密着させることができる。
【００３８】
第２の圧縮部３３を連結部材２１のベース部２２とフロントケース１１及びリアケース１２の内面に密着させることにより、フロントケース１１及びリアケース１２の内面と連結部材２１との間から液体が浸入することを防止することができる。つまり、フロントケース１１の端面１１ａとリアケース１２の端面１２ａとの間から液体が浸入することがあっても、第２の圧縮部３３でカメラ筐体２の内部にその液体が浸入することを防止することができる。したがって、防水部材３１は、フロントケース１１の端面１１ａとリアケース１２の端面１２ａとの間からの液体の浸入を２重に防止することができる。
【００３９】
図７は、本発明の防水型撮像装置の第２の実施の形態を示す断面図である。この防水型撮像装置の第２の実施の形態を示すデジタルスチルカメラ４１は、第１の実施の形態を示すデジタルスチルカメラ１と同様の構成を有しており、異なるところは、防水部材４２のみである。そのため、ここでは、防水部材４２について説明し、デジタルスチルカメラ１と共通する部分には同一符号を付して重複した説明を省略する。
【００４０】
デジタルスチルカメラ４１の防水部材４２は、断面形状が略Ｈ状に形成された枠体からなっている。この防水部材４２は、フロントケース１１の端面１１ａとリアケース１２の端面１２ａとの間に介在される第１の圧縮部３２と、カメラ筐体２の内部に配置される第２の圧縮部３３と、フロントケース１１の端面１１ａを形成する端部とリアケース１２の端面１２ａを形成する端部を外側から覆う化粧部４４から構成されている。防水部材４２の第１の圧縮部３２及び第２の圧縮部３３については、第１の実施の形態に係る防水部材３１と同様の構成及び材質となっているため、説明を省略する。
【００４１】
図７に示すように、防水部材４２の化粧部４４は、フロントケース１１及びリアケース１２の内面に接触する接触片４４ａと、この接触片４４ａを覆って外装部を形成するカバー４４ｂから構成されている。接触片４４ａは、第１及び第２の圧縮部３２，３３と同様に、軟質ゴムや軟質樹脂等の軟質部材から形成されている。また、カバー４４ｂは、アクリロニトリル・ブタジエン・スチレン樹脂（ＡＢＳ樹脂）やポリカーボネート（ＰＣ）等の硬質部材から形成されている。つまり、化粧部４４は、軟質部材である接触片４４ａと硬質部材であるカバー４４ｂとを２色成形することにより形成されている。
【００４２】
このような構成を有するデジタルスチルカメラ４１によっても、第１の実施の形態のデジタルスチルカメラ１と同様の効果を得ることができる。つまり、防水部材４２の第１の圧縮部３２によってフロントケース１１の端面１１ａとリアケース１２の端面１２ａとの間から液体が浸入することを防止することができる。そして、フロントケース１１の端面１１ａとリアケース１２の端面１２ａとの間から液体が浸入することがあっても、第２の圧縮部３３でカメラ筐体２の内部にその液体が浸入することを防止することができる。
【００４３】
また、化粧部４４のカバー４４ｂを硬質部材によって形成したため、そのカバー４４ｂを塗装することができる。例えば、カバー４４ｂをフロントケース１１及びリアケース１２と同様な色に塗装することにより、カメラ筐体２との一体感を持たせることができる。さらに、化粧部４４のカバー４４ｂを硬質部材によって形成することで、カメラ筐体２と同様の質感を持たせることができ、デジタルスチルカメラ４１全体として高級感を出すことができる。
【００４４】
図８は、本発明の防水型撮像装置の第３の実施の形態を示す断面図である。この防水型撮像装置の第３の実施の形態を示すデジタルスチルカメラ５１は、第２の実施の形態を示すデジタルスチルカメラ４１と同様の構成を有しており、異なるところは、防水部材５２の第２の圧縮部５３のみである。そのため、ここでは、防水部材５２の第２の圧縮部５３について説明し、デジタルスチルカメラ４１と共通する部分には同一符号を付して重複した説明を省略する。
【００４５】
デジタルスチルカメラ５１の防水部材５２は、断面形状が略Ｈ状に形成された枠体からなっている。この防水部材５２は、フロントケース１１の端面１１ａとリアケース１２の端面１２ａとの間に介在される第１の圧縮部３２と、カメラ筐体２の内部に配置される第２の圧縮部５３と、フロントケース１１の端面１１ａを形成する端部とリアケース１２の端面１２ａを形成する端部を外側から覆う化粧部４４から構成されている。防水部材５２の第１の圧縮部３２及び化粧部４４については、第２の実施の形態に係る防水部材４２と同様の構成及び材質となっているため、説明を省略する。
【００４６】
図８に示すように、防水部材５２の第２の圧縮部５３は、フロントケース１１及びリアケース１２の内面と連結部材２１のベース部２２によって挟まれる。この第２の圧縮部５３には、第１の内面側突起５３ａと、第２の内面側突起５３ｂが設けられている。これら内面側突起５３ａ，５３ｂは、第２の圧縮部５３の両側にそれぞれ連続してそれぞれ化粧部４４側に突出する突条として形成されている。第１の内面側突起５３ａは、フロントケース１１の内面に接触し、第２の内面側突起５３ｂは、リアケース１２の内面に接触する。
【００４７】
また、第２の圧縮部５３の２つの内面側突起５３ａ，５３ｂが突出する面と反対側の面は、連結部材２１のベース部２２に接触する接触面５３ｃとなっている。この接触面５３ｃから２つの内面側突起５３ａ，５３ｂの先端までの距離は、連結部材２１の立上り部２３Ａ，２３Ｂによって形成されるベース部２２と第１及び第２の固定部２４Ａ，２４Ｂとの段差よりも長く設定されている。そのため、連結部材２１によってフロントケース１１とリアケース１２を連結した状態において、２つの内面側突起５３ａ，５３ｂは、フロントケース１１及びリアケース１２の内面に接触して潰れるように圧縮される。
【００４８】
このような構成を有するデジタルスチルカメラ５１によっても、第１及び第２の実施の形態のデジタルスチルカメラ１，４１と同様の効果を得ることができる。つまり、防水部材５２の第１の圧縮部３２によってフロントケース１１の端面１１ａとリアケース１２の端面１２ａとの間から液体が浸入することを防止することができる。
【００４９】
また、第２の圧縮部５３の内面側突起５３ａ，５３ｂを突起状に形成したため、それら２つの内面側突起５３ａ，５３ｂの潰れ量を大きくすることができる。これにより、２つの内面側突起５３ａ，５３ｂに対応するフロントケース１１及びリアケース１２の内面に段差が生じていても、その段差に対応させて２つの内面側突起５３ａ，５３ｂを潰すことができる。したがって、第２の圧縮部５３を連結部材２１のベース部２２とフロントケース１１及びリアケース１２の内面に確実に密着させることができる。その結果、フロントケース１１の端面１１ａとリアケース１２の端面１２ａとの間から液体が浸入することがあっても、第２の圧縮部５３でカメラ筐体２の内部にその液体が浸入することを防止することができる。
【００５０】
図９は、本発明の防水型撮像装置の第４の実施の形態を示す断面図である。この防水型撮像装置の第４の実施の形態を示すデジタルスチルカメラ６１は、第２の実施の形態を示すデジタルスチルカメラ４１と同様の構成を有しており、異なるところは、防水部材６２の第２の圧縮部６３のみである。そのため、ここでは、防水部材６２の第２の圧縮部６３について説明し、デジタルスチルカメラ４１と共通する部分には同一符号を付して重複した説明を省略する。
【００５１】
デジタルスチルカメラ６１の防水部材６２は、断面形状が略Ｈ状に形成された枠体からなっている。この防水部材６２は、フロントケース１１の端面１１ａとリアケース１２の端面１２ａとの間に介在される第１の圧縮部３２と、カメラ筐体２の内部に配置される第２の圧縮部６３と、フロントケース１１の端面１１ａを形成する端部とリアケース１２の端面１２ａを形成する端部を外側から覆う化粧部４４から構成されている。防水部材６２の第１の圧縮部３２及び化粧部４４については、第２の実施の形態に係る防水部材４２と同様の構成及び材質となっているため、説明を省略する。
【００５２】
図９に示すように、防水部材６２の第２の圧縮部６３は、フロントケース１１及びリアケース１２の内面と連結部材２１のベース部２２によって挟まれる。この第２の圧縮部６３には、第１の連結側突起６３ａと、第２の連結側突起６３ｂと、第１の内面側突起６３ｃと、第２の内面側突起６３ｄが設けられている。
【００５３】
第１及び第２の連結側突起６３ａ，６３ｂは、第２の圧縮部６３の両側にそれぞれ連続して外側に突出する突条として形成されている。第１の連結側突起６３ａは、フロントケース１１の端部に対応する位置で連結部材２１のベース部２２に接触し、第２の連結側突起６３ｂは、リアケース１２の端部に対応する位置で連結部材２１のベース部２２に接触する。
【００５４】
第１及び第２の内面側突起６３ｃ，６３ｄは、第２の圧縮部６３の両側にそれぞれ連続してそれぞれ化粧部４４側に突出する突条として形成されている。第１の内面側突起６３ｃは、フロントケース１１の内面に接触し、第２の内面側突起６３ｄは、リアケース１２の内面に接触する。
【００５５】
第１の連結側突起６３ａの先端から第１の内面側突起６３ｃの先端までの距離と、第２の連結側突起６３ｂの先端から第２の内面側突起６３ｄの先端までの距離は、略同一に設定されている。そして、これらの距離は、連結部材２１の立上り部２３Ａ，２３Ｂによって形成されるベース部２２と第１及び第２の固定部２４Ａ，２４Ｂとの段差よりも長く設定されている。そのため、連結部材２１によってフロントケース１１とリアケース１２を連結した状態において、２つの連結側突起６３ａ，６３ｂは、連結部材２１のベース部２２に接触して潰れるように圧縮される。これと同時に、２つの内面側突起６３ｃ，６３ｄは、フロントケース１１及びリアケース１２の内面に接触して潰れるように圧縮される。
【００５６】
このような構成を有するデジタルスチルカメラ６１によっても、第１及び第２の実施の形態のデジタルスチルカメラ１，４１と同様の効果を得ることができる。つまり、防水部材６２の第１の圧縮部３２によってフロントケース１１の端面１１ａとリアケース１２の端面１２ａとの間から液体が浸入することを防止することができる。
【００５７】
また、第２の圧縮部５３の２つの連結側突起６３ａ，６３ｂ及び２つの内面側突起６３ｃ，６３ｄを突起状に形成したため、それらの潰れ量を大きくすることができる。これにより、２つの連結側突起６３ａ，６３ｂが接触する連結部材２１のベース部２２に段差が生じていても、その段差に対応させて２つの連結側突起６３ａ，６３ｂを潰すことができる。また、２つの内面側突起６３ｃ，６３ｄに対応するフロントケース１１及びリアケース１２の内面に段差が生じていても、その段差に対応させて２つの内面側突起６３ｃ，６３ｄを潰すことができる。
【００５８】
したがって、第２の圧縮部６３を連結部材２１のベース部２２とフロントケース１１及びリアケース１２の内面に確実に密着させることができる。その結果、フロントケース１１の端面１１ａとリアケース１２の端面１２ａとの間から液体が浸入することがあっても、第２の圧縮部６３でカメラ筐体２の内部にその液体が浸入することを防止することができる。
【００５９】
上述した第１〜第４の実施の形態では、レンズ鏡筒によって取り込まれた画像や、撮影（記録）した画像を表示させる液晶表示装置等の表示部を設けていないが、本発明の防水型撮像装置としては、例えば、背面に表示部を設ける構成としてもよい。その場合、リアケース１２に表示部を露出させる開口部を設ける。そして、表示部とリアケース１２との間に防水パッキン等の防水部材を介在させ、リアケース１２に設けた開口部から液体が浸入することを防止する。
【００６０】
以上説明したように、本発明の防水型撮像装置によれば、防水部材の第１の圧縮部によって第１及筐体部品の端面と第２の筐体部品の端面との間から液体が浸入することを防止することができる。さらに、両端面間から液体が浸入することがあっても、第２の圧縮部によってカメラ筐体の内部にその液体が浸入することを防止することができ、カメラ筐体の内部に液体が浸入することを２重に防止することができる。
【００６１】
本発明は、前述しかつ図面に示した実施の形態に限定されるものではなく、その要旨を逸脱しない範囲内で種々の変形実施が可能である。例えば、前記実施の形態においては、防水型撮像装置としてデジタルスチルカメラを適用した例について説明したが、スチルカメラ、デジタルビデオカメラ、カメラ付き携帯電話端末、その他の撮像装置にも適用できるものである。
【図面の簡単な説明】
【００６２】
【図１】本発明の防水型撮像装置の第１の実施の形態を示すデジタルスチルカメラを正面側から見た外観斜視図である。
【図２】本発明の防水型撮像装置の第１の実施の形態を示すデジタルスチルカメラの分解斜視図である。
【図３】本発明の防水型撮像装置の第１の実施の形態を示すデジタルスチルカメラに係る連結部材及び防水部材を示す斜視図である。
【図４】図３に示す連結部材のＡ−Ａ線部分の断面図である。
【図５】図３に示す防水部材のＢ−Ｂ線部分の断面図である。
【図６】図１に示すデジタルスチルカメラのＣ−Ｃ線部分の断面図である。
【図７】本発明の防水型撮像装置の第２の実施の形態を示すデジタルスチルカメラの断面図である。
【図８】本発明の防水型撮像装置の第３の実施の形態を示すデジタルスチルカメラの断面図である。
【図９】本発明の防水型撮像装置の第４の実施の形態を示すデジタルスチルカメラの断面図である。
【符号の説明】
【００６３】
１，４１，５１，６１…デジタルスチルカメラ（防水型電子機器）、  ２…カメラ筐体、  ３…対物レンズ、    １１…フロントケース（第１の筐体部品）、  １１ａ，１２ａ…端面、  １２…リアケース（第２の筐体部品）、  １５，１６…ねじ用貫通孔、  ２１…連結部材、  ２２…ベース部、  ２３Ａ，２３Ｂ…立上り部、  ２４Ａ…第１の固定部、  ２４Ｂ…第２の固定部、  ３１，４２，５２，６２…防水部材、  ３２…第１の圧縮部、  ３２ａ…第１の端面側突起、  ３２ｂ…第２の端面側突起、  ３３，５３，６３…第２の圧縮部、  ３３ａ，６３ａ…第１の連結側突起、  ３３ｂ，６３ｂ…第２の連結側突起、  ３４，４４…化粧部、  ４４ａ…接触片、  ４４ｂ…カバー、  ５３ａ，６３ｃ…第１の内面側突起、  ５３ｂ，６３ｄ…第２の内面側突起
【図１】
2009171235.tif 000003
【図２】
2009171235.tif 000004
【図３】
2009171235.tif 000005
【図４】
2009171235.tif 000006
【図５】
2009171235.tif 000007
【図６】
2009171235.tif 000008
【図７】
2009171235.tif 000009
【図８】
2009171235.tif 000010
【図９】
2009171235.tif 000011